(57)【要約】【課題】収納庫に収納する際の収納スペースを小さくすることができるとともに、支持脚の影ができにくい天然芝育成用照明装置を提供する。【解決手段】天然芝育成用照明装置１は、上下２つのフレーム部材3,4からなる開閉自在のフレーム２と、支持脚５と、灯具取付部材６と、灯具７と、両フレーム部材3,4および灯具取付部材６を解除自在に固定する固定手段とを備えている。フレーム部材3,4は、基部8,9および２つのアーム11A,11B,12A,12Bからなる。両フレーム部材3,4を上下に重なった基部8,9基部8,9において同一鉛直軸線O周りに回転自在に連結する。両アーム11A,11B,12A,12Bは鉛直軸線Oを中心として基部8,9から反対方向に突出している。支持脚５を、各フレーム部材3,4のアーム11A,11B,12A,12Bに、フレーム２の開閉時に灯具取付部材６および灯具７と干渉しないように設ける。【選択図】図２
2018023299.tif 000002
【特許請求の範囲】
【請求項１】
上下に並んだ複数のフレーム部材からなる開閉自在のフレームと、フレームを支持する支持脚と、フレームに取り付けられた灯具取付部材と、灯具取付部材に取り付けられかつ一定の長さおよび幅を有する灯具と、フレームの全フレーム部材および灯具取付部材を解除自在に固定する固定手段とを備えており、
フレームのフレーム部材が、基部および基部から互いに反対の方向に突出するように設けられた２つのアームからなり、全フレーム部材が、基部が重なるように上下に並んで配置されるとともに、基部において同一鉛直軸線周りに回転自在に連結され、フレーム部材の両アームが、前記鉛直軸線を中心として基部から反対方向に突出しており、支持脚が、各フレーム部材のアームに、フレームの開閉時に灯具取付部材および灯具と干渉しないように設けられており、灯具取付部材が下端のフレーム部材の下方に配置されるとともに全フレーム部材に対して前記鉛直軸線周りに相対的に回転しうるように取り付けられている天然芝育成用照明装置。
【請求項２】
フレームが上下２つのフレーム部材からなり、フレームの両フレーム部材の２本のアームの長さが等しくなっており、フレームが、両フレーム部材における前記鉛直軸線の片側に位置する第１アームの先端どうしおよび前記鉛直軸線の他側に位置する第２アームの先端どうしが最も離隔する開状態と、両フレーム部材の前記第１アームの先端どうしおよび前記第２アームの先端どうしが最も近接する閉状態との間で開閉するようになされ、フレームの開状態において、灯具の長手方向が、平面から見て上フレーム部材の前記第１アームの先端と下フレーム部材の前記第１アームの先端とを結ぶ方向を向き、フレームの閉状態において、灯具の長手方向が、平面から見て上フレーム部材の前記第１アームの先端と下フレーム部材の前記第２アームの先端とを結ぶ方向を向くようになされている請求項１記載の天然芝育成用照明装置。
【請求項３】
両フレーム部材の基部が、中心軸線が前記鉛直軸線上に位置しかつ外径の等しい円筒状であり、各フレーム材の両アームの幅方向の中心線が、基部の外周面における１つの直径上に位置する２つの接線と平行になるように、両アームが基部の外周面に固定され、フレームが閉状態にあるときに、両フレーム部材の前記第１アームどうし、および前記第２アームどうしがそれぞれ平行になる請求項２記載の天然芝育成用照明装置。
【請求項４】
各フレーム部材の両アームの一方の側縁部が、基部の外周面における１つの直径上に位置する２つの接線上に位置している請求項３記載の天然芝育成用照明装置。
【請求項５】
フレームに、フレームが開状態および閉状態にあるときの両フレーム部材の位置決めをする位置決め手段が設けられ、フレームと灯具取付部材との間に、灯具取付部材の下フレーム部材に対する回転範囲を規制する規制手段が設けられている請求項２〜４のうちのいずれかに記載の天然芝育成用照明装置。
【請求項６】
前記位置決め手段が、いずれか一方のフレーム部材の基部内に周方向に一定の角度間隔で設けられた２つのストッパと、他方のフレーム部材の基部内に前記一方の基部内に突出するように設けられ、かつフレームの開状態において一方のストッパに当たるとともに閉状態において他方のストッパに当たる棒状体とよりなる請求項５記載の天然芝育成用照明装置。
【請求項７】
前記規制手段が、下フレーム部材の基部および灯具取付部材のうちいずれか一方に固定状に設けられた水平壁部における前記鉛直軸線を中心とする円周上に、周方向に一定角度間隔をおいて形成された２つの円弧状長穴と、同他方に設けられかつ両長穴に移動自在に嵌め入れられた２つのピン状部材とよりなる請求項５または６記載の天然芝育成用照明装置。
【請求項８】
支持脚が、平面から見て前記鉛直軸線を中心とする１つの円周上に位置するように、全フレーム部材の２本のアームの先端寄りの部分に設けられ、灯具取付部材に取り付けられた灯具の長手方向両端が、前記円周よりも径方向内側に位置している請求項１〜７のうちのいずれかに記載の天然芝育成用照明装置。
【請求項９】
固定手段が、上端のフレーム部材および灯具取付部材のうちいずれか一方に固定状に設けられた水平壁部の前記鉛直軸線上に形成されためねじ穴と、同他方に固定状に設けられた水平壁部の前記鉛直軸線上に形成された貫通穴、および残りのフレーム部材に固定状に設けられた水平壁部の前記鉛直軸線上に形成された貫通穴に通され、かつ前記めねじ穴にねじ嵌められたおねじ部材とよりなる請求項１〜８のうちのいずれかに記載の天然芝育成用照明装置。
【発明の詳細な説明】
【技術分野】
【０００１】
この発明は、たとえばゴルフ場、サッカースタジアム、ラグビー競技場、陸上競技場、テニス競技場、野球場などのグランドに植えられている天然芝の維持管理に使用される天然芝育成用照明装置に関する。
【０００２】
この明細書および特許請求の範囲において、図３および図４の上下を上下というものとする。
【背景技術】
【０００３】
上述したグランドに植えられている天然芝の維持管理は、従来、養生の際に太陽光により自然に育成することが一般的であった。しかしながら、太陽光による育成には時間がかかるという問題があった。しかも、スタンドや、屋根などの構築物が存在する場合には、長時間日陰となる部分が生じることを避け得ず、日当たりの悪い場所では天然芝の育成が遅くなるとともに、日当たりの良い場所と悪い場所では天然芝に育成むらが生じるという問題があった。
【０００４】
そこで、天然芝の育成の促進するとともに、育成むらの発生を抑制するために、上述した競技場の天然芝の養生の際に、天然芝に人工光を照射する装置が考えられている(特許文献１参照)。
【０００５】
特許文献１記載の装置は、６つの垂直状支持脚を有するフレームと、フレームの支持脚の下端部に取り付けられたキャスタと、フレームに設けられた灯具取付部と、灯具取付部に固定された複数の灯具とを備えており、フレームの左右両端部および左右方向の中央部に、それぞれ前後で対をなす２つの支持脚が設けられ、前側の３つの支持脚と後側の３つの支持脚との間に灯具取付部が固定状に設けられ、灯具取付部に取り付けられた灯具の有効光照射部が各支持脚の上端部と同一位置にあり、灯具から天然芝に人工光が照射されるようになっている。特許文献１記載の装置は、天然芝に人工光を照射する必要がない場合には収納庫に収納され、天然芝に人工光を照射する場合だけに、グランドの広さに応じた必要数の装置が天然芝上に配置されて用いられるものであり、支持脚下端のキャスタ装置を利用して収納庫と天然芝上との間で移動させられるようになっている。
【０００６】
しかしながら、特許文献１記載の装置の場合、たとえば収納庫に収納する際に比較的大きな収納スペースが必要になるという問題がある。また、天然芝が植えられたグランドに支持脚の濃い影ができ、濃い影ができた部分の天然芝の育成に悪影響を及ぼすという問題がある。
【先行技術文献】
【特許文献】
【０００７】
【特許文献１】米国特許出願公開第２００１／００３５４６８号明細書
【発明の概要】
【発明が解決しようとする課題】
【０００８】
この発明の目的は、上記問題を解決し、収納庫に収納する際の収納スペースを小さくすることができるとともに、支持脚の影ができにくい天然芝育成用照明装置を提供することにある。
【課題を解決するための手段】
【０００９】
本発明は、上記目的を達成するために以下の態様からなる。
【００１０】
1)上下に並んだ複数のフレーム部材からなる開閉自在のフレームと、フレームを支持する支持脚と、フレームに取り付けられた灯具取付部材と、灯具取付部材に取り付けられかつ一定の長さおよび幅を有する灯具と、フレームの全フレーム部材および灯具取付部材を解除自在に固定する固定手段とを備えており、
フレームのフレーム部材が、基部および基部から互いに反対の方向に突出するように設けられた２つのアームからなり、全フレーム部材が、基部が重なるように上下に並んで配置されるとともに、基部において同一鉛直軸線周りに回転自在に連結され、フレーム部材の両アームが、前記鉛直軸線を中心として基部から反対方向に突出しており、支持脚が、各フレーム部材のアームに、フレームの開閉時に灯具取付部材および灯具と干渉しないように設けられており、灯具取付部材が下端のフレーム部材の下方に配置されるとともに全フレーム部材に対して前記鉛直軸線周りに相対的に回転しうるように取り付けられている天然芝育成用照明装置。
【００１１】
2)フレームが上下２つのフレーム部材からなり、フレームの両フレーム部材の２本のアームの長さが等しくなっており、フレームが、両フレーム部材における前記鉛直軸線の片側に位置する第１アームの先端どうしおよび前記鉛直軸線の他側に位置する第２アームの先端どうしが最も離隔する開状態と、両フレーム部材の前記第１アームの先端どうしおよび前記第２アームの先端どうしが最も近接する閉状態との間で開閉するようになされ、フレームの開状態において、灯具の長手方向が、平面から見て上フレーム部材の前記第１アームの先端と下フレーム部材の前記第１アームの先端とを結ぶ方向を向き、フレームの閉状態において、灯具の長手方向が、平面から見て上フレーム部材の前記第１アームの先端と下フレーム部材の前記第２アームの先端とを結ぶ方向を向くようになされている上記1)記載の天然芝育成用照明装置。
【００１２】
3)両フレーム部材の基部が、中心軸線が前記鉛直軸線上に位置しかつ外径の等しい円筒状であり、各フレーム材の両アームの幅方向の中心線が、基部の外周面における１つの直径上に位置する２つの接線と平行になるように、両アームが基部の外周面に固定され、フレームが閉状態にあるときに、両フレーム部材の前記第１アームどうし、および前記第２アームどうしがそれぞれ平行になる上記2)記載の天然芝育成用照明装置。
【００１３】
4)各フレーム部材の両アームの一方の側縁部が、基部の外周面における１つの直径上に位置する２つの接線上に位置している上記3)記載の天然芝育成用照明装置。
【００１４】
5)フレームに、フレームが開状態および閉状態にあるときの両フレーム部材の位置決めをする位置決め手段が設けられ、フレームと灯具取付部材との間に、灯具取付部材の下フレーム部材に対する回転範囲を規制する規制手段が設けられている上記2)〜4)のうちのいずれかに記載の天然芝育成用照明装置。
【００１５】
6)前記位置決め手段が、いずれか一方のフレーム部材の基部内に周方向に一定の角度間隔で設けられた２つのストッパと、他方のフレーム部材の基部内に前記一方の基部内に突出するように設けられ、かつフレームの開状態において一方のストッパに当たるとともに閉状態において他方のストッパに当たる棒状体とよりなる上記5)記載の天然芝育成用照明装置。
【００１６】
7)前記規制手段が、下フレーム部材の基部および灯具取付部材のうちいずれか一方に固定状に設けられた水平壁部における前記鉛直軸線を中心とする円周上に、周方向に一定角度間隔をおいて形成された２つの円弧状長穴と、同他方に設けられかつ両長穴に移動自在に嵌め入れられた２つのピン状部材とよりなる上記5)または6)記載の天然芝育成用照明装置。
【００１７】
8)支持脚が、平面から見て前記鉛直軸線を中心とする１つの円周上に位置するように、全フレーム部材の２本のアームの先端寄りの部分に設けられ、灯具取付部材に取り付けられた灯具の長手方向両端が、前記円周よりも径方向内側に位置している上記1)〜7)のうちのいずれかに記載の天然芝育成用照明装置。
【００１８】
9)固定手段が、上端のフレーム部材および灯具取付部材のうちいずれか一方に固定状に設けられた水平壁部の前記鉛直軸線上に形成されためねじ穴と、同他方に固定状に設けられた水平壁部の前記鉛直軸線上に形成された貫通穴、および残りのフレーム部材に固定状に設けられた水平壁部の前記鉛直軸線上に形成された貫通穴に通され、かつ前記めねじ穴にねじ嵌められたおねじ部材とよりなる上記1)〜8)のうちのいずれかに記載の天然芝育成用照明装置。
【発明の効果】
【００１９】
上記1)〜9)の天然芝育成用照明装置によれば、上下に並んだ複数のフレーム部材からなる開閉自在のフレームと、フレームを支持する支持脚と、フレームに取り付けられた灯具取付部材と、灯具取付部材に取り付けられかつ一定の長さおよび幅を有する灯具と、フレームの全フレーム部材および灯具取付部材を解除自在に固定する固定手段とを備えており、フレームのフレーム部材が、基部および基部から互いに反対の方向に突出するように設けられた２つのアームからなり、全フレーム部材が、基部が重なるように上下に並んで配置されるとともに、基部において同一鉛直軸線周りに回転自在に連結され、フレーム部材の両アームが、前記鉛直軸線を中心として基部から反対方向に突出しており、支持脚が、各フレーム部材のアームに、フレームの開閉時に灯具取付部材および灯具と干渉しないように設けられており、灯具取付部材が下端のフレーム部材の下方に配置されるとともに全フレーム部材に対して前記鉛直軸線周りに相対的に回転しうるように取り付けられているので、天然芝の育成時には、フレームを開状態にし、さらに灯具取付部材に取り付けられた灯具から照射される光が支持脚に当たりにくい位置にくるように灯具取付部材をフレーム部材に対して回転させ、この位置において固定手段によりフレームの全フレーム部材および灯具取付部材を固定した状態で天然芝上に設置し、灯具から人工光を照射することができる。したがって、支持脚の影ができにくくなり、支持脚の影に起因する天然芝の育成への悪影響を少なくすることが可能になる。
【００２０】
さらに、天然芝に人工光を照射する必要がない場合には、固定手段によるフレームの全フレーム部材および灯具取付部材の固定を解除してフレームを閉状態とし、さらに灯具取付部材を、長手方向が閉状態にある全フレーム部材のアームの長手方向に近い向きを向くように回転させ、この状態で固定手段によりフレームの全フレーム部材および灯具取付部材を固定する。この状態では人工光の照射時に比べてコンパクトになるので、収納庫に収納する際の収納スペースを、特許文献１記載の装置に比べて小さくすることができる。
【００２１】
上記2)の天然芝育成用照明装置によれば、天然芝の育成時に、支持脚の影ができにくくなる効果が優れたものとなり、支持脚の影に起因する天然芝の育成への悪影響を確実に抑制することができる。
【００２２】
上記3)および4)の天然芝育成用照明装置によれば、閉状態にあるフレームを確実にコンパクトにすることができる。
【００２３】
上記5)の天然芝育成用照明装置によれば、フレームを閉状態から開く際の所定の開状態への移行、および開状態から閉じる際の所定の閉状態への移行を簡単に行うことができる。また、フレームが開状態にあるときに、灯具取付部材を両フレーム部材に対して回転させて灯具を所定の照射位置に位置決めすること、およびフレームが閉状態にあるときに、灯具取付部材を両フレーム部材に対して回転させて灯具を所定の収納位置に位置決めすることを、簡単に行うことができる。
【００２４】
上記6)の天然芝育成用照明装置によれば、フレームが開状態および閉状態にあるときの両フレーム部材の位置決めをする位置決め手段を、比較的簡単にフレームに設けることができる。
【００２５】
上記7)の天然芝育成用照明装置によれば、灯具取付部材の下フレーム部材に対する回転範囲を規制する規制手段を、比較的簡単にフレームと灯具取付部材との間に設けることができる。
【００２６】
上記8)の天然芝育成用照明装置によれば、天然芝の育成時に、支持脚の影を効果的にできにくくすることが可能であり、支持脚の影に起因する天然芝の育成への悪影響を確実に抑制することができる。
【００２７】
上記5)および6)の天然芝育成用照明装置によれば、閉状態にあるフレームを確実にコンパクトにすることができる。
【００２８】
上記7)の天然芝育成用照明装置によれば、フレームを閉状態から開く際の所定の開状態への移行、および開状態から閉じる際の所定の閉状態への移行を簡単に行うことができる。また、フレームが開状態にあるときに、灯具取付部材を両フレーム部材に対して回転させて灯具を所定の照射位置に位置決めすること、およびフレームが閉状態にあるときに、灯具取付部材を両フレーム部材に対して回転させて灯具を所定の収納位置に位置決めすることを、簡単に行うことができる。
【００２９】
上記8)の天然芝育成用照明装置によれば、天然芝の育成時に、支持脚の影ができにくくなる効果が優れたものとなり、支持脚の影に起因する天然芝の育成への悪影響を確実に抑制することができる。
【００３０】
上記9)の天然芝育成用照明装置によれば、フレームの全フレーム部材および灯具取付部材を解除自在に固定する固定手段の構成が比較的簡単になる。
【図面の簡単な説明】
【００３１】
【図１】この発明による天然芝育成用照明装置の全体構成を示し、フレームが閉状態となっている際の平面図である。
【図２】この発明による天然芝育成用照明装置の全体構成を示し、フレームが開状態となっている際の平面図である。
【図３】この発明による天然芝育成用照明装置の全体構成を示し、フレームが開状態となっている際の正面図である。
【図４】図１のＡ−Ａ線拡大断面図である。
【図５】図１のＢ−Ｂ線断面図である。
【図６】図５のＣ−Ｃ線断面図である。
【図７】図１の天然芝育成用照明装置のフレームが開状態となっている際の図６相当の図である。
【図８】図１の天然芝育成用照明装置を使用する１つの態様を示す平面図である。
【図９】図１の天然芝育成用照明装置を使用する図８と同じ態様を示す正面図である。
【発明を実施するための形態】
【００３２】
以下、この発明の実施形態を、図面を参照して説明する。
【００３３】
図１〜図３はこの発明の天然芝育成用照明装置の全体構成を示し、図４〜図７はその要部の構成を示す。
【００３４】
以下の説明において、「アルミニウム」という用語には、純アルミニウムの他にアルミニウム合金を含むものとする。
【００３５】
また、以下の説明において、図１〜図３の左右を左右というものとする。
【００３６】
図１〜図３において、天然芝育成用照明装置(1)は、上下に並んだ２つのフレーム部材(3)(4)からなる開閉自在のフレーム(2)と、フレーム(2)を支持する支持脚(5)と、フレーム(2)に取り付けられた灯具取付部材(6)と、灯具取付部材(6)に取り付けられかつ一定の長さおよび幅を有する灯具(7)と、フレーム(2)の両フレーム部材(3)(4)および灯具取付部材(6)を解除自在に固定する固定手段とを備えている。
【００３７】
フレーム(2)の上下両フレーム部材(3)(4)は、アルミニウム製基部(8)(9)および基部(8)(9)から互いに反対の方向に突出するように設けられた２本のアルミニウム製アーム(11A)(11B)(12A)(12B)からなる。フレーム(2)は、上下両フレーム部材(3)(4)が、基部(8)(9)が重なるように上下に並んで配置されるとともに、基部(8)(9)において同一鉛直軸線(O)の周りに回転自在に連結されることにより構成されている。
【００３８】
上下両フレーム部材(3)(4)の基部(8)(9)は、中心軸線が前記鉛直軸線(O)上に位置しかつ同一外径を有するともに上下両端が閉鎖された円筒状である。上フレーム部材(3)の基部(8)は、下フレーム部材(4)の基部(9)上に載せられている。両フレーム部材(3)(4)のアーム(11A)(11B)(12A)(12B)は角筒状であって、すべてのアーム(11A)(11B)(12A)(12B)の長さは等しくなっている。アーム(11A)(11B)(12A)(12B)は、基部(8)(9)の外周面における前記鉛直軸線(O)から偏心した部分に、前記鉛直軸線(O)を中心として基部(8)(9)から反対の方向に突出するように固定されている。上下両フレーム部材(3)(4)における前記鉛直軸線(O)の片側(左側)に位置する第１アーム(11A)(12A)と、同他側(右側)に位置する第２アーム(11B)(12B)とは、前記鉛直軸線(O)に対して異なる方向に偏心した位置にあり、各フレーム部材(3)(4)の両アーム(11A)(11B)(12A)(12B)は、幅方向の中心線が、基部(8)(9)の外周面における１つの直径上に位置する２つの接線と平行になるとともに、幅方向の一方の側縁部が、基部(8)(9)の外周面における前記接線上に位置するように基部(8)(9)の外周面に固定されている。
【００３９】
フレーム(2)は、両フレーム部材(3)(4)の第１アーム(11A)(12A)の先端どうしおよび第２アーム(11B)(12B)の先端どうしが最も近接する閉状態(図１)と、両フレーム部材(3)(4)の第１アーム(11A)(12A)の先端どうしおよび第２アーム(11B)(12B)の先端どうしが最も離隔する開状態(図２および図３参照)との間で開閉するようになっている。フレーム(2)の閉状態においては、上フレーム部材(3)の第１アーム(11A)と下フレーム部材(4)の第２アーム(12B)、および上フレーム部材(3)の第２アーム(11B)と下フレーム部材(4)の第１アーム(12A)とが、平面から見て左右方向に延びる一直線上に位置している(図１参照)。フレーム(2)の開状態においては、上フレーム部材(3)の第１アーム(11A)と下フレーム部材(4)の両アーム(12A)(12B)、および上フレーム部材(3)の第２アーム(11B)と下フレーム部材(4)の両アーム(12A)(12B)とが平面から見て直角をなしている(図２参照)。
【００４０】
支持脚(5)は、平面から見て前記鉛直軸線(O)を中心とする１つの円周上に位置するように、両フレーム部材(3)(4)の２本のアーム(11A)(11B)(12A)(12B)の先端寄りの部分にそれぞれ設けられている。支持脚(5)は、適当な手段により長さ調整が可能となっている。また、支持脚(5)の下端部には、先端が鋭利になった差し込み部(5a)が設けられている。
【００４１】
図４〜図７に示すように、灯具取付部材(6)はアルミニウム製であって、一定の長さおよび幅を有する水平壁(6a)および水平壁(6a)の幅方向の中央部の下面に一体に設けられた垂直壁(6b)とよりなる。灯具取付部材(6)の水平壁(6a)上に、下フレーム部材(4)の基部(9)の下端部に固定状に設けられた水平壁部(9a)が、合成樹脂製滑りシート(13)を介して載せられている。
【００４２】
ＬＥＤ灯具(7)は、下方に開口した横断面略逆Ｕ字状ケース本体(14a)およびケース本体(14a)に上方突出状に一体に設けられた垂直状ブラケット(14b)よりなるケース(14)と、ケース本体(14a)内に配置され、かつＬＥＤ基板(図示略)およびＬＥＤ基板に取り付けられた複数のＬＥＤパッケージ(図示略)からなる光照射部(15)とを有しており、ＬＥＤパッケージにＬＥＤチップが実装されている。ＬＥＤ灯具(7)は、ケース(14)のブラケット(14b)を灯具取付部材(6)の垂直壁(6b)にボルト(16)およびナット(17)により固定されている。ＬＥＤ灯具(7)の長さは、灯具取付部材(6)の長さよりも若干長く、ＬＥＤ灯具(7)の両端部は灯具取付部材(6)の両端部よりも外側に突出している。ＬＥＤ灯具(7)の長さは、支持脚(5)が位置する前記円周の直径よりも短く、ＬＥＤ灯具(7)の長手方向の両端は前記円周の内側に位置している。また、ＬＥＤ灯具(7)の幅は当然のことながら長さよりも小さく、閉状態のフレーム(2)における上フレーム部材(3)の第１アーム(11A)の外側縁(図１の上側縁）と下フレーム部材(4)の第１アーム(12A)の外側縁(図１の下側縁）との間隔よりも若干大きくなっている。
【００４３】
そして、フレーム(2)の開状態において、ＬＥＤ灯具(7)の長手方向が、平面から見て上フレーム部材(3)の第１アーム(11A)の支持脚(5)と下フレーム部材(4)の第１アーム(12A)の支持脚(5)とを結ぶ方向(図２の左右方向)を向き、フレーム(2)の閉状態において、ＬＥＤ灯具(7)の長手方向が、平面から見て上フレーム部材(3)の第１アーム(11A)の支持脚(5)と下フレーム部材(4)の第２アーム(12B)の支持脚(5)とを結ぶ方向(図１の左右方向)を向くように、灯具取付部材(6)が両フレーム部材(3)(4)に対して前記鉛直軸線(O)周りに相対的に回転するようになっている。フレーム(2)が閉状態にあるときには、灯具取付部材(6)の長手方向は両フレーム部材(3)(4)のアーム(11A)(11B)(12A)(12B)と平行になり(図１参照)、フレーム(2)が開状態にあるときには、灯具取付部材(6)の長手方向は両フレーム部材(3)(4)のアーム(11A)(11B)(12A)(12B)と４５度の角度をなす(図２参照)。
【００４４】
フレーム(2)の両フレーム部材(3)(4)および灯具取付部材(6)を解除自在に固定する固定手段は、上フレーム部材(3)および灯具取付部材(6)のうちいずれか一方、ここでは上フレーム部材(3)の基部(8)内の下端部に固定状に設けられた水平壁部(8a)において前記鉛直軸線(O)上に形成されためねじ穴(18)と、同他方、ここでは灯具取付部材(6)の水平壁(6a)において前記鉛直軸線(O)上に形成された貫通穴(19)、および下フレーム部材(4)の基部(9)内に固定状に設けられた水平壁部(9a)において前記鉛直軸線(O)上に形成された貫通穴(21)に下方から通され、かつめねじ穴(18)にねじ嵌められたおねじ部材(22)とよりなる。なお、おねじ部材(22)は滑りシート(13)に形成された貫通穴(13a)にも通されている。おねじ部材(22)には操作用頭部(22a)が設けられており、操作用頭部(22a)は、灯具取付部材(6)の垂直壁(6b)に形成された貫通穴(23)内に位置している。貫通穴(23)の大きさは、垂直壁(6b)がおねじ部材(22)を回す作業に支障を来さないような大きさとなっている。なお、必要に応じて、ケース(14)のブラケット(14b)の一部が切り欠かれていてもよい。
【００４５】
フレーム(2)に、フレーム(2)が開状態および閉状態にあるときの両フレーム部材(3)(4)の位置決めをする位置決め手段が設けられている。位置決め手段は、いずれか一方、ここでは下フレーム部材(4)の基部(9)内に周方向に両フレーム部材(3)(4)の相対的回転角度と同じ間隔で設けられた２つのストッパ(24)と、他方、ここでは上フレーム部材(3)の基部(8)内に下フレーム部材(4)の基部(9)内に突出するように設けられ、かつフレーム(2)の開状態において一方のストッパ(24)に当たるとともに閉状態において他方のストッパ(24)に当たる棒状の当接部材(25)とよりなる。ストッパ(24)は、下フレーム部材(4)の基部(9)の内周面に溶接により固定された厚板からなる。当接部材(25)は、上フレーム部材(3)の基部(8)の水平壁部(8a)に形成されためねじ穴に上方からねじ嵌められたボルトの軸部における基部(9)内に突出した部分からなる。図示は省略したが、当接部材(25)の周囲は合成樹脂製カバーにより覆われている。
【００４６】
灯具取付部材(6)とフレーム(2)との間に、灯具取付部材(6)の下フレーム部材(4)に対する回転範囲を規制する規制手段が設けられている。規制手段は、下フレーム部材(4)の基部(9)の下端部に固定状に設けられた水平壁部(9a)における前記鉛直軸線(O)を中心とする円周上に、周方向に一定角度間隔をおいて形成された２つの円弧状長穴(27)と、灯具取付部材(6)に上方突出状に設けられかつ両長穴(27)に移動自在に嵌め入れられた２つのピン状部材(28)とよりなる。鉛直軸線(O)と直交する水平面において、２つの長穴(27)は、鉛直軸線(O)を中心とした点対称となっている。灯具取付部材(6)のピン状部材(28)は、灯具取付部材(6)の水平壁(6a)に形成されためねじ穴に下方からねじ嵌められたボルトの軸部における基部内に突出した部分からなる。図示は省略したが、ピン状部材(28)の周囲は合成樹脂製カバーにより覆われている。
【００４７】
上述した位置決め手段および規制手段の働きによって、この実施形態においては、フレーム(2)が閉状態から開状態に切り替わる際に、両フレーム部材(3)(4)が灯具取付部材(6)に対して図１および図６の反時計方向に４５度回転するとともに、上フレーム部材(3)が下フレーム部材(4)に対して図１および図６の反時計方向に９０度回転する。また、フレーム(2)が開状態から閉状態に切り替わる際に、上フレーム部材(3)が下フレーム部材(4)に対して図２および図７の時計方向に９０度回転するとともに、両フレーム部材(3)(4)が灯具取付部材(6)に対して図２および図７の時計方向に４５度回転する。
【００４８】
上述した天然芝育成用照明装置(1)は、不使用時にはフレーム(2)が閉状態にされるとともに、灯具取付部材(6)が、ＬＥＤ灯具(7)の長手方向が両フレーム部材(3)(4)のアーム(11A)(11B)(12A)(12B)の長手方向と同一方向を向くように回転させられ、固定手段により両フレーム部材(3)(4)および灯具取付部材(6)が固定された状態で収納庫などに収納されている。このとき、上フレーム部材(3)の第１アーム(11A)と下フレーム部材(4)の第２アーム(12B)、および上フレーム部材(3)の第２アーム(11B)と下フレーム部材(4)の第１アーム(12A)とが、平面から見て一直線状となり、灯具取付部材(6)の長手方向は両フレーム部材(3)(4)の両アーム(11A)(11B)(12A)(12B)と平行になっている(図１参照)。
【００４９】
天然芝の養生のために、天然芝にＬＥＤ灯具(7)から人工光を照射する必要が生じた際には、収納時と同様な状態で人工光を照射する場所まで運ぶ。ついで、固定手段による両フレーム部材(3)(4)および灯具取付部材(6)の固定を解除した後、両フレーム部材(3)(4)を灯具取付部材(6)に対して図１および図６の反時計方向に４５度回転させるとともに、上フレーム部材(3)を下フレーム部材(4)に対して図１および図６の反時計方向に９０度回転させてフレーム(2)を開状態に切り替えて、灯具取付部材(6)の長手方向を両フレーム部材(3)(4)の両アーム(11A)(11B)(12A)(12B)と４５度の角度をなす使用状態にする(図２および図７参照)。この状態で、固定手段により両フレーム部材(3)(4)および灯具取付部材(6)を固定する。このとき、ＬＥＤ灯具(7)の長手方向の一端は、上フレーム部材(3)の第１アーム(11A)の支持脚(5)と、下フレーム部材(4)の第２アーム(12B)の支持脚(5)とを結ぶ直線上に位置しており、ＬＥＤ灯具(7)の長手方向他端は、上フレーム部材(3)の第２アーム(11B)の支持脚(5)と、下フレーム部材(4)の第１アーム(12A)の支持脚(5)とを結ぶ直線上に位置している。
【００５０】
この状態で、図８および図９に示すように、複数の天然芝育成用照明装置(1)を並べて配置するとともに、支持脚(5)の差し込み部(5a)を天然芝が植えられているグランドの地面に差し込み、隣り合う天然芝育成用照明装置(1)の近接した支持脚(5)どうしを適当な連結部材(31)により連結する。さらに、たとえばゴルフ場のグリーン(G)の天然芝に人工光を照射する際には、グリーン表面の傾斜に合わせて、支持脚(5)の長さを調整し、ＬＥＤ灯具(7)を水平状態にする。こうして、天然芝にＬＥＤ灯具(7)の光照射部により天然芝に人工光を照射する。ＬＥＤ灯具(7)と支持脚(5)との関係が上述したようになっているので、天然芝が植えられたグランド支持脚(5)の影ができにくくなり、支持脚(5)の影に起因する天然芝の育成への悪影響を少なくすることが可能になる。
【産業上の利用可能性】
【００５１】
この発明による天然芝育成用照明装置は、ゴルフ場、サッカースタジアム、ラグビー競技場、陸上競技場、テニス競技場、野球場などグランドに植えられている天然芝に人工光を照射する天然芝育成用照明装置に好適に用いられる。
【符号の説明】
【００５２】
(1)：天然芝育成用照明装置
(2)：フレーム
(3)：上フレーム部材
(4)：下フレーム部材
(5)：支持脚
(6)：灯具取付部材
(7)：ＬＥＤ灯具
(8)(9)：基部
(8a)(9a)：水平壁部
(11A)(12A)：第１アーム
(11B)(12B)：第２アーム
(18)：めねじ穴
(19)(21)：貫通穴
(22)：おねじ部材
(24)：ストッパ
(25)：当接部材
(27)：長穴
(28)：ピン状部材
(O)：鉛直軸線
【図１】
2018023299.tif 000003
【図２】
2018023299.tif 000004
【図３】
2018023299.tif 000005
【図４】
2018023299.tif 000006
【図５】
2018023299.tif 000007
【図６】
2018023299.tif 000008
【図７】
2018023299.tif 000009
【図８】
2018023299.tif 000010
【図９】
2018023299.tif 000011